(57)【特許請求の範囲】
【請求項１】
記録計の拡張スロットに挿入する記録計用拡張ユニットであって、
左右側面の挿入先端から中央部にかけて形成された両端支持梁構造のスナップフィット部を備え、
前記スナップフィット部は、
側面に沿って突起したリブ構造のガイド部と、
前記ガイド部の上方に形成された、挿入方向側になだらかな傾斜の第１ラッチ部と、
前記ガイド部上に前記第１ラッチ部と前後ずらして形成された、挿入方向側になだらかな傾斜の第２ラッチ部とを備えていることを特徴とする記録計用拡張ユニット。
【請求項２】
前記第１ラッチ部および第２ラッチ部は、前記ガイド部の挿入側先端部よりも外側に突起していることを特徴とする請求項１に記載の記録計用拡張ユニット。
【発明の詳細な説明】
【技術分野】
【０００１】
本発明は、記録計の拡張スロットに挿入する記録計用拡張ユニットの外装構造に関する。
【背景技術】
【０００２】
記録計は、各種産業プラントにおいてそのプロセスの温度・圧力・流量などを記録する装置であり、製品の製造工程における管理記録等に用いられる。記録計は、種々のタイプが製品化され、それぞれ種々の機能が実装されている。
【０００３】
例えば、図７（ａ）に示すように、前面に拡張スロット３２０を設け、拡張ユニット４００を挿入することができる記録計３００が製品化されている。拡張スロット３２０は、前面ドア３０１を開くことで前方に露出するようになっている。
【０００４】
拡張ユニット４００は、例えば、図７（ｂ）に示すように、拡張スロット３２０に挿入した状態でケーブル４１０と接続可能になっていて、ケーブル４１０の他端をＰＣと接続することで、記録計３００のＣＰＵとＰＣとを通信可能とする。
【０００５】
一般に、ケーブル４１０は常時接続するものではなく、また、接続した状態では前面ドア３０１が閉まらないため、拡張ユニット４００は容易に取り外すことができる構造としている。このため、拡張ユニット４００は、ロック機構を有さず、軽く引くことで記録計３００から抜き出すことができる。
【先行技術文献】
【特許文献】
【０００６】
【特許文献１】特開２００２−３４２７１７号公報
【発明の概要】
【発明が解決しようとする課題】
【０００７】
近年、ＳＤカード等の可搬型の記録媒体が広く用いられるようになっており、記録計が収集したデータや設定情報等を可搬型の記録媒体に記録したいという要望がある。この場合、可搬型の記録媒体にアクセスするための拡張ユニットを開発し、拡張スロットに挿入することで実現することができる。
【０００８】
ところで、可搬型記録媒体の拡張ユニットであれば、一旦拡張スロットに取り付けると取り外す必要性はほとんどなく、取り付けた状態でも前面ドア３０１の開閉に影響はない。逆に、容易に取り外し可能とするとアクセス中に通信遮断が発生して、記録媒体に悪影響を与えるおそれがある。このため、可搬型記録媒体の拡張ユニットは、ラッチ等によるロック機構を備えることが望ましい。
【０００９】
しかしながら、記録計３００の拡張スロット３２０は、ロック機構を想定していないため、専用のラッチ受けは形成されていない。このため、ラッチ受けとしては予定せずに形成されている凹部や隙間をラッチ受けに流用する必要がある。
【００１０】
可搬型記録媒体の拡張ユニットは、拡張スロット３２０を有する複数種類の記録計３００に汎用的に使用できることが望ましいが、このような凹部や隙間は、本来的なものではないため、設計上の都合等により、記録計３００の種類毎に位置が異なる。このため、通常のラッチ機構では複数機種に対応することはできない。
【００１１】
また、ラッチ機構を備える拡張ユニットを拡張スロットに挿入する際には、ラッチ機構が確実に働くように、拡張ユニットが傾いた状態で押し込まれることを防止するガイド機構を備えることが望ましい。この場合、ある程度の強度を有さないとガイド機構としての機能が十分発揮できない。
【００１２】
そこで、本発明は、内部形状の異なる複数種の拡張スロットに対応したラッチ機構と十分な強度のガイド機構とを有する記録計用拡張ユニットを提供することを目的とする。
【課題を解決するための手段】
【００１３】
上記課題を解決するため、本発明の記録計用拡張ユニットは、左右側面の挿入先端から中央部にかけて形成された両端支持梁構造のスナップフィット部を備え、前記スナップフィット部は、側面に沿って突起したリブ構造のガイド部と、前記ガイド部の上方に形成された、挿入方向側になだらかな傾斜の第１ラッチ部と、前記ガイド部上に前記第１ラッチ部と前後ずらして形成された、挿入方向側になだらかな傾斜の第２ラッチ部とを備えていることを特徴とする。
ここで、前記第１ラッチ部および第２ラッチ部は、前記ガイド部の挿入側先端部よりも外側に突起していることが望ましい。
【発明の効果】
【００１４】
本発明によれば、内部形状の異なる複数種の拡張スロットに対応したラッチ機構と十分な強度のガイド機構とを有する記録計用拡張ユニットを提供される。
【図面の簡単な説明】
【００１５】
【図１】記録計と本実施形態の記録計用拡張ユニットとを示す図である。
【図２】記録計用拡張ユニットの斜視図である。
【図３】記録計用拡張ユニットの六面図である。
【図４】記録計の前面ドアを開けた状態を示す図である。
【図５】記録計用拡張ユニットを拡張ユニットに挿入した状態を示す図である。
【図６】記録計用拡張ユニットを拡張ユニットに挿入した状態を示す図である。
【図７】記録計と従来の記録計用拡張ユニットとを示す図である。
【発明を実施するための形態】
【００１６】
本発明の実施の形態について図面を参照して説明する。図１は、本実施形態に係る記録計用拡張ユニット１００を示す図である。本図に示すように、記録計用拡張ユニット１００は、薄い矩形のカード状の外形をしており、記録計３００の拡張スロット３２０に挿入される。
【００１７】
本実施形態の記録計用拡張ユニット１００は、ＳＤカード２００を装着可能であり、記録計３００がＳＤカード２００を読み書きできるように機能拡張するものである。ただし、記録計用拡張ユニット１００は、無線通信、ＵＳＢコントローラ等の他の用途の拡張ユニットであってもよい。記録計用拡張ユニット１００は、ケーブルを有さず、奥行きも十分短いため、挿入状態で前面ドア３０１の開閉に影響を与えない。
【００１８】
図２は、記録計用拡張ユニット１００の斜視図である。本図は、挿入側から見た図である。本図に示すように、記録計用拡張ユニット１００は、左右両側面にスナップフィット部１１０が形成され、上面に記録計３００と電気的に接続するためのコネクタ１２０と、挿入時のストッパとなる突起部１２１とを有している。
【００１９】
スナップフィット部１１０は、挿入側の先端から記録計用拡張ユニット１００の中程まで形成され、挿入側先端部１１０ａと中間根元部１１０ｂの両端で支えられた梁構造となっている。スナップフィット部１１０の挿入側先端部１１０ａは、本体の先端部１２２よりも突き出している。このため、挿入時には、スナップフィット部１１０の挿入側先端部１１０ａが最初に記録計の拡張スロット３２０に入ることになる。
【００２０】
スナップフィット部１１０は、挿入側先端部１１０ａと中間根元部１１０ｂの両端で記録計用拡張ユニット１００本体と固定されているため、左右側面から押されると内側方向に撓むようになっている。なお、スナップフィット部１１０は左右側面とも対称に形成されているため、以下では一方の側面を例に説明する。
【００２１】
スナップフィット部１１０を含め、記録計用拡張ユニット１００の両側面の下部には、凸状に突起したリブ構造のガイド部１０１が挿入側先端から挿入側後端に渡って形成されている。記録計用拡張ユニット１００の挿入時において、ガイド部１０１は、上面が上から押さえられることで、記録計用拡張ユニット１００が上下方向に傾くのを防ぎ、側面が横から押さえられることで、記録計用拡張ユニット１００が左右方向に傾くことを防ぐ。
【００２２】
スナップフィット部１１０の中間部分には、第１ラッチ部１１１と第２ラッチ部１１２とが外側方向に突起した状態で形成されている。第１ラッチ部１１１と第２ラッチ部１１２とも挿入方向側になだらかな傾斜が形成され、反対側は側面にほぼ垂直に形成されており、記録計用拡張ユニット１００が記録計３００の拡張スロット３２０に挿入されると、いずれかのラッチ部（１１１、１１２）が拡張スロット３２０内の凹部や隙間のエッジに嵌って容易に抜けないようになっている。
【００２３】
第１ラッチ部１１１と第２ラッチ部１１２とは上下にずらして形成されており、本実施形態では、第１ラッチ部１１１は、ガイド部１０１よりも上方に形成され、第２ラッチ部１１２は、ガイド部１０１上に形成されている。いずれのラッチ部（１１１、１１２）ともガイド部先端１０１ａよりも外側に頂上がはみ出るようになっている。第２ラッチ部１１２はガイド部１０１上に形成されているため、ガイド部としての機能も担っている。
【００２４】
また、第１ラッチ部１１１と第２ラッチ部１１２とは前後にずらして形成されており、本実施形態では、第２ラッチ部１１２よりも挿入側に形成されている。ただし、拡張スロット３２０の形状によっては、第１ラッチ部１１１と第２ラッチ部１１２との前後関係は逆であってもよい。
【００２５】
このような第１ラッチ部１１１と第２ラッチ部１１２との位置関係により、本実施形態の記録計用拡張ユニット１００では、第１ラッチ部１１１は、拡張スロット３２０内の比較的上側で挿入奥側に形成された凹部や隙間のエッジ部分に嵌り、第２ラッチ部１１２は、それよりも下側で手前側に形成された凹部や隙間のエッジ部分に嵌るようになっている。
【００２６】
図３は、記録計用拡張ユニット１００の六面図を示している。すなわち、上面図、前面図、背面図、左側面図、右側側面図、下面図である。本図では、図２における挿入側から見た図を背面図としている。なお、本図では細部は簡略化している。
【００２７】
図４は、記録計３００の前面ドア３０１を開けた状態を示し、図４（ａ）は全体図、図４（ｂ）は拡張スロット３２０部分の拡大図を示している。図４（ｂ）に示すように、拡張スロット３２０は、下辺部が左右広がった凸形状をしており、下辺部の広がった溝部３２１に記録計用拡張ユニット１００のガイド部１０１の側面と上面とを合わせるようになっている。ただし、記録計３００の種類によっては溝部３２１が形成されていない場合もある。この場合は、ガイド部１０１の側面を拡張スロット３２０の側面に合わせればよい。
【００２８】
図４（ｂ）に示すような左右に溝部３２１を有する凸形状をした拡張スロット３２０に記録計用拡張ユニット１００を挿入する場合は、まず、スナップフィット部１１０の挿入側先端部１１０ａに位置するガイド部先端１０１ａを溝部３２１に差し込む。このとき、スナップフィット部１１０の挿入側先端部１１０ａは、根元のみの片端支持ではなく、両端支持としているため、十分な強度を有しているため、挿入位置決めのガイドとしての機能を発揮する。
【００２９】
ガイド部１０１が拡張スロット３２０の溝部３２１に嵌った状態のまま、記録計用拡張ユニット１００を押し込んでいくと、拡張スロット３２０の側壁から押され、スナップフィット部１１０が撓んでいく。すなわち、第１ラッチ部１１１、第２ラッチ部１１２が最も外側に突起しているため、少なくとも一方のラッチが拡張スロット３２０の側壁に接して、スナップフィット部１１０を撓ませることになる。
【００３０】
第２ラッチ部１１２は、ガイド部１０１上に形成され、ガイド部１０１よりも外側に突起しているため、スナップフィット部１１０が内側に撓んだとしても、第２ラッチ部１１２が拡張スロット３２０の溝部３２１に残ることになり、ガイドとしての機能を維持することができる。
【００３１】
さらに挿入すると、第１ラッチ部１１１、第２ラッチ部１１２のいずれかが拡張スロット３２０内の凹部や隙間のエッジ部分とかみ合い、スナップフィット部１１０の撓みがなくなってロック状態となる。
【００３２】
図５は、第１ラッチ部１１１が拡張スロット３２０の壁３２２と奥側の空間との間のエッジ部分をラッチ受けとして利用した場合を示している。壁３２２は、下部に空間を有しているため第２ラッチ部１１２の側面には接触しない。また、挿入方向には突起部１２１がストッパとなっている。この場合、挿入時には、第１ラッチ部１１１が壁３２２と接触することで、スナップフィット部１１０が撓み、第１ラッチ部１１１が壁３２２を越えた段階で、スナップフィット部１１０の撓みが解消し、ロック状態となる。
【００３３】
図６は、図５に示した拡張スロット３２０とは別形状の拡張スロット３２０に記録計用拡張ユニット１００を挿入した場合を示している。本例では、第２ラッチ部１１２が拡張スロット３２０の壁３２３と奥側の空間との間のエッジ部分をラッチ受けとして利用した場合を示している。この場合、挿入時には、第１ラッチ部１１１および第２ラッチ部１１２が壁３２３と接触することで、スナップフィット部１１０が撓み、第１ラッチ部１１１が壁３２３を越え、さらに第２ラッチ部１１２が壁３２３を越えた段階で、スナップフィット部１１０の撓みが解消し、ロック状態となる。
【００３４】
このように、本実施形態の記録計用拡張ユニット１００は、上下方向および前後方向にずらして形成された第１ラッチ部１１１と第２ラッチ部１１２とを備えているため、内部形状の異なる複数種の拡張スロットに対応することができる。
【００３５】
また、挿入側先端部１１０ａと中間根元部１１０ｂの両端で支えられた梁構造となったスナップフィット部１１０にガイド部１０１が形成されているため、片梁構造にガイド部１０１を形成した場合と比べてガイド部１１１が十分な強度を有することになる。
【００３６】
さらに、第２ラッチ部１１２は、ガイド部１０１上に形成されているため、ガイド部１０１が内側に撓んだ状態でも、拡張スロット３２０の溝部３２１に第２ラッチ部１１２が残り、ガイド機能を維持することができる。
【符号の説明】
【００３７】
１００…記録計用拡張ユニット、１０１…ガイド部、１１０…スナップフィット部、１１１…第１ラッチ部、１１２…第２ラッチ部、１２０…コネクタ、１２１…突起部、１２２…本体先端部、２００…ＳＤカード、３００…記録計、３０１…前面ドア、３２０…拡張スロット、３２１…溝部、３２２…壁、３２３…壁
【図１】
0006292094.tif 000002
【図２】
0006292094.tif 000003
【図３】
0006292094.tif 000004
【図４】
0006292094.tif 000005
【図５】
0006292094.tif 000006
【図６】
0006292094.tif 000007
【図７】
0006292094.tif 000008